(57)【要約】  【課題】台紙に上端及び下端が閉じられたポケットを設けたファイルにおいて、台紙とポケットとの間の隙間に収納物を円滑に収納できるようにする  【解決手段】ポケットが、一側に差込用の開放端を有し、そのポケットの上端及び下端の少なくとも一方が、前記ポケットの表面側を折り返して前記台紙に止着してなる差込前半部と、前記台紙に対面する当該ポケットの裏面側を前記台紙に止着してなる差込後半部とを備えた構成を採用する。【選択図】図１
2018176471.tif 000002
【特許請求の範囲】
【請求項１】
台紙に上端及び下端が閉じられたポケットを設けたファイルであって、
前記ポケットが、一側に差込用の開放端を有したもので、そのポケットの上端及び下端の少なくとも一方が、前記ポケットの表面側を折り返して前記台紙に止着してなる差込前半部と、前記台紙に対面する当該ポケットの裏面側を前記台紙に止着してなる差込後半部とを備えたものであるファイル。
【請求項２】
前記差込前半部が、前記ポケットの端部を前記台紙側に折返した状態でその折返し部分のみを前記台紙に溶着させたものであり、
前記差込後半部が、前記ポケットの端部を前記台紙に重ね合わせた状態で溶着させたものである請求項１記載のファイル。
【請求項３】
前記台紙が表紙であり、前記ポケットが前記表紙の内面に設けられたものである請求項１又は２記載のファイル。
【請求項４】
前記ポケットが、ノートの表紙を差し込むことができる寸法に設定されたものである請求項１、２又は３記載のファイル。
【請求項５】
前記ポケットの反開放端側が前記台紙の端縁に合致又は近接させてある請求項４記載のファイル。
【請求項６】
前記ポケットの下端が前記差込前半部と前記差込後半部とを備えたものである請求項１、２、３、４又は５記載のファイル。
【請求項７】
前記ポケットの表面側を折り返した折り返し部分の端部が前記ポケットの開放端よりも外方側に突出している請求項１、２、３、４、５又は６記載のファイル。
【発明の詳細な説明】
【技術分野】
【０００１】
本発明は、ポケットを有するファイルに関する。
【背景技術】
【０００２】
従来、この種のファイルとして、シート状の台紙の一面にシート状のポケットを重ね合わせ、このポケットの上端及び下端を前記台紙の上端及び下端に溶着したものが知られている（例えば、特許文献１を参照）。
【０００３】
ところで、このファイルは、ポケットの裏面側を前記台紙の内面に溶着している。そのため、ポケットと台紙との間に形成される収納用の隙間が上下両端部において断面クサビ形のものになっている。その結果、ポケットを深くするために前記溶着部分の長さを大きくすると、ポケット内に当該ポケットの内法寸法に近い収納物を収納しようとした場合に前記隙間のクサビ形部分に食い込みやすく円滑に挿入することが難しくなるという問題がある。
【先行技術文献】
【特許文献】
【０００４】
【特許文献１】実用新案登録第３１４０９２１号
【発明の概要】
【発明が解決しようとする課題】
【０００５】
本発明は以上の点に着目し、台紙とポケットとの間の隙間に収納物を円滑に収納できるようにすることを目的とする。
【課題を解決するための手段】
【０００６】
請求項１記載の発明に係るファイルは、台紙に上端及び下端が閉じられたポケットを設けたファイルであって、前記ポケットが、一側に差込用の開放端を有したもので、そのポケットの上端及び下端の少なくとも一方が、前記ポケットの表面側を折り返して前記台紙に止着してなる差込前半部と、前記台紙に対面する当該ポケットの裏面側を前記台紙に止着してなる差込後半部とを備えたものである。
【０００７】
請求項２記載の発明に係るファイルは、請求項１記載の構成のものにおいて、前記差込前半部が、前記ポケットの端部を前記台紙側に折返した状態でその折返し部分のみを前記台紙に溶着させたものであり、前記差込後半部が、前記ポケットの端部を前記台紙に重ね合わせた状態で溶着させたものである。
【０００８】
請求項３記載の発明に係るファイルは、請求項１又は２記載の構成のものにおいて、前記台紙が表紙であり、前記ポケットが前記表紙の内面に設けられたものである。
【０００９】
請求項４記載の発明に係るファイルは、請求項１、２又は３記載の構成のものにおいて、前記ポケットが、ノートの表紙を差し込むことができる寸法に設定されたものである。
【００１０】
請求項５記載の発明に係るファイルは、請求項４記載の構成のものにおいて、前記ポケットの反開放端側が前記台紙の端縁に合致又は近接させてある。
【００１１】
請求項６記載の発明に係るファイルは、請求項１、２、３、４又は５記載の構成のものにおいて、前記ポケットの下端が前記差込前半部と前記差込後半部とを備えたものである。
【００１２】
請求項７記載の発明に係るファイルは、請求項１、２、３、４、５又は６記載の構成のものにおいて、前記ポケットの表面側を折り返した折り返し部分の端部が前記ポケットの開放端よりも外方側に突出しているものである。
【発明の効果】
【００１３】
本発明によれば、台紙とポケットとの間の隙間に収納物を円滑に収納できるようにすることができる。
【図面の簡単な説明】
【００１４】
【図１】本発明の一実施形態に係るファイルを示す斜視図。
【図２】同実施形態に係るファイルを示す正面図。
【図３】図２におけるＡ−Ａ線に沿った端面図。
【図４】図２におけるＢ−Ｂ線に沿った端面図。
【図５】図２におけるＣ−Ｃ線に沿った端面図。
【図６】図３におけるＤ部の拡大図。
【図７】図３におけるＥ部の拡大図。
【図８】図３におけるＦ部の拡大図。
【図９】図４におけるＧ部の拡大図。
【図１０】図４におけるＨ部の拡大図。
【図１１】図２におけるＩ−Ｉ線に沿った端面図。
【図１２】図５におけるＪ部の拡大図。
【図１３】図５におけるＫ部の拡大図。
【図１４】同実施形態に係るファイルを示す分解斜視図。
【図１５】同実施形態に係るファイルの使用態様を示す図。
【図１６】同実施形態に係るファイルの使用態様を示す図。
【図１７】同実施形態に係るファイルの作用説明図。
【図１８】同実施形態に係るファイルの作用説明図。
【図１９】同実施形態に係るファイルの作用説明図。
【図２０】本発明の他の実施形態に係るファイルを示す正面図。
【発明を実施するための形態】
【００１５】
本発明の一実施形態を、図面を参照しつつ以下に述べる。
【００１６】
本実施形態のファイルＦＬは、図１〜図５、図１４及び図１５に示すように、表紙１、３を含む複数枚の台紙１〜３を開閉可能に設けてなり、少なくとも２枚の台紙１〜３にポケット４〜６がそれぞれ設けられたファイルＦＬであって、前記２枚の台紙の大きさが互いに異ならせてある。すなわち、前記２枚の台紙の一方は表表紙１であるとともに、他方は中間の台紙２であり、前記表表紙１の大きさを前記中間の台紙２の大きさよりも小さくしてある。また、このファイルＦＬは、前記表表紙１、前記中間の台紙２の他に、ポケット６が設けられ前記中間の台紙２と同一の大きさを有する裏表紙３を備えている。そして、前記表表紙１の大きさを、前記中間の台紙２及び前記裏表紙３の大きさよりも小さくしてある。
【００１７】
本実施形態では、小さい方の台紙すなわち表表紙１がＢ５サイズに対応するものであり、大きい方の台紙すなわち中間の台紙２及び裏表紙３がＡ４サイズに対応するものである。具体的に説明すれば、この実施形態では、図２に示すように、表表紙１は、セミＢ５サイズの短辺（１７９ｍｍ）より若干大きな幅寸法ｗ１（例えば１９０ｍｍ）を有する。一方、中間の台紙２及び裏表紙３は、Ａ４サイズの短辺（２１０ｍｍ）より若干大きな幅寸法ｗ２（例えば２３２ｍｍ）を有する。なお、この実施形態では、各台紙、すなわち表表紙１、中間の台紙２及び裏表紙３の高さ寸法ｈ１は共通であり、Ａ４サイズの長辺（２９７ｍｍ）より若干大きな高さ寸法ｈ１（例えば３１２ｍｍ）にそろえてある。前記表表紙１と前記裏表紙３とは、背表紙１０を介して一体に形成されたものである。前記中間の台紙２は、その基端２ｃ近傍を裏表紙３の基端３ｃ近傍に溶着してある。
【００１８】
相互に寸法が異なる前記台紙のいずれか、具体的には表表紙１に設けられた第１のポケット４は、図１、図２、図４、図９〜図１１、図１４及び図１５に示すように、上端４ａ及び下端４ｂの両方が閉じられたものである。一方、他の台紙、すなわち中間の台紙２及び裏表紙３に設けられた第２のポケット５、６は、図１、図２、図５及び図１２〜図１５に示すように、上端５ａ、６ａが解放され下端５ｂ、６ｂが閉じられたものである。
【００１９】
前記第１のポケット４は、図１〜図４、図６、図７、図９〜図１１、図１４及び図１５に示すように、前記表表紙１の内面１ｓに設けられ、一側に差込用の開放端４ｃを有し、その下端４ｂが、当該ポケット４の表面側を折り返して前記表表紙１に止着してなる差込前半部４ｂ１と、前記表表紙１に対面する当該ポケット４の裏面側を前記表表紙１に止着してなる差込後半部４ｂ２とを備えたものである。前記差込前半部４ｂ１は、図１、図２、図４及び図１０に示すように、前記第１のポケット４の端部すなわち下端４ｂ近傍部を表表紙１側に折返した状態でその折返し部分４０のみを前記表表紙１に溶着させたものである。前記差込後半部４ｂ２は、図１、図２、図４及び図１１に示すように、前記第１のポケット４の端部すなわち下端４ｂ近傍部を表表紙１に重ね合わせた状態で溶着させたものである。
【００２０】
また、前記第１のポケット４は、透光性を有するもので、図１〜図４、図６、図７、図９〜図１１、図１４及び図１５に示すように、上端４ａに沿って形成された上端溶着領域４１を前記表表紙１の上端１ａから所定距離だけ離間した位置に溶着し、反開放端４ｄに沿って形成された側端溶着領域４２を前記表表紙１の端縁１ｃに沿った領域に溶着し、下端４ｂを表表紙１の下端１ｂに沿った領域に溶着することにより、前記表表紙１の内面１ｓに添設されている。前記第１のポケット４の反開放端４ｄは、表表紙１の端縁１ｃに合致させてある。なお、図１〜図４、図６、図９〜図１１、図１４及び図１５に示すように、前記第１のポケット４の上端４ａ、反開放端４ｄ及び下端４ｂから内方に一定距離だけ変位した位置に、例えばトムソン型を用いて形成された上型押し線４３、側型押し線４４及び下型押し線４５が連続して形成されている。前記上端溶着領域４１は、上型押し線４３よりも上端４ａ側に変位した位置に設定されており、前記側端溶着領域４２は前記側型押し線４４よりも反開放端側に変位した位置に設定されている。そして、前記差込前半部４ｂ１および前記差込後半部４ｂ２は、前記下型押し線４５の下側に関連させて設けられている。すなわち、差込前半部４ｂ１は、前記下型押し線４５の外側を表表紙１側に折り返すことにより折り返し部分４０を形成し、前述したようにその折り返し部分４０のみを前記表表紙１に溶着したものである。差込後半部４ｂ２は、前記下型押し線４５の外側全域を、前述したように前記表表紙１に重ね合わせて溶着したものである。
【００２１】
さらに、前記第１のポケット４は、セミＢ５サイズのノートの表紙を差し込むことができる寸法に設定されている。この実施形態においては、図２に示すように、前記上型押し線４３から前記下型押し線４５までの寸法ｈ２を、セミＢ５サイズの長辺（２５２ｍｍ）よりもわずかに大きな寸法（例えば２５３ｍｍ）としており、前記側型押し線４４から前記開放端４ｃまでの寸法ｗ３を、セミＢ５サイズの短辺（１７９ｍｍ）よりわずかに小さな寸法（例えば１７５ｍｍ）としている。なお、前記上型押し線４３から上端溶着領域４１までの領域及び前記側型押し線４４から側端溶着領域４２までの領域は、前記第１のポケット４が表表紙１の内面１ｓに密着しているが溶着はされておらず、ノートＮの表紙Ｎ１を無理に進入させることが可能な状態となっている。
【００２２】
この第１のポケット４の開放端４ｃにおける上下両端の近傍部には、切欠４ｘがそれぞれ設けられている。前記開放端４ｃにおける両切欠４ｘ間の部位は、該開放端４ｃにおける上側の切欠４ｘより上方の部位よりも外方側すなわち背表紙１０側に突出している。また、前記折り返し部分４０の端部は、図１、図２及び図１４〜図１６に示すように、当該第１のポケット４の開放端４ｃよりも外方側すなわち背表紙１０側に突出している。
【００２３】
前記第２のポケット５、６は、大きい方の台紙、すなわち前記中間の台紙２及び前記裏表紙３にそれぞれ設けられている。より具体的には、前記第２のポケット５、６は、図１〜図３、図５、図８及び図１２〜図１５に示すように、前記中間の台紙２の表裏両面２ｓ、２ｔ及び前記裏表紙３の内面３ｓにそれぞれ設けられ、前述したように上端５ａ、６ａが解放され下端５ｂ、６ｂが閉じられているとともに、一側に差込用の開放端５ｃ、６ｃを有している。また、前記第２のポケット５、６は、いずれも透光性を有する。
【００２４】
前記中間の台紙２の表裏両面２ｓ、２ｔにそれぞれ設けられた２つの第２のポケット５は、１枚の透光性を有するシートを中央部で折り曲げて前記中間の台紙２の表裏両面２ｓ、２ｔにかぶせることにより形成されたものである。すなわち、これら表裏対をなす第２のポケット５は、図１〜図３、図５、図８及び図１２〜図１５に示すように、その下端５ｂに沿って形成された下端溶着領域５０を前記中間の台紙２の下端２ｂに沿った領域に溶着することにより、前記中間の台紙２の表裏両面２ｓ、２ｔにそれぞれ添接されたもので、その中間の台紙２の先端２ｄで折り返された前記両第２のポケット５の先端部５ｄは、中間の台紙２に溶着されることなく相互に連続させてある。なお、前記第２のポケット５の前記開放端５ｃ及び下端５ｂから内方に一定距離だけ変位した位置に、例えばトムソン型を用いて形成された側型押し線５１及び下型押し線５２がそれぞれ形成されている。前記下端溶着領域５０は前記下型押し線５２よりも下端５ｂ側に変位した位置に設定されている。そして、これらの第２のポケット５の前記開放端５ｃにおける下端近傍部には、それぞれ切欠５ｘが設けられている。
【００２５】
また、前記中間の台紙２における上端２ａと基端２ｃとにより形成される隅部には、図１、図２、図１４及び図１５に示すように、前記第２のポケット５に収納された用紙の角部を保持するための帯状の留め具９が設けられている。
【００２６】
前記裏表紙３に設けられた第２のポケット６は、図３、図５、図８及び図１２〜図１４に示すように、その下端６ｂに沿って形成された下端溶着領域６０を前記裏表紙３の下端３ｂに沿った領域に溶着するとともに、反開放端部６ｄの表面側を折り返して前記裏表紙３にその折り返し部分６ｄ１を溶着することにより、前記裏表紙３に添接されている。この第２のポケットの前記開放端６ｃ、反開放端６ｄ及び下端６ｂから内方にそれぞれ一定距離だけ変位した位置にも、例えばトムソン型を用いて形成された第１の側型押し線６１、第２の側型押し線６２及び下型押し線６３がそれぞれ形成されている。前記下溶着領域６０は前記下型押し線６３よりも下端６ｂ側に変位した位置に設定されている。前記第２の側型押し線６２は、前記折返し部分６ｄ１の折り返し端縁６ｄ２に略重なり合う位置に設定されている。さらに、この第２のポケット６の上端６ａ近傍における裏表紙３の先端３ｄに近接する部位には、この第２のポケット６と前記裏表紙３との間に挟まれた用紙を保持するための折り返し保持片６４を一体に設けている。符号６５は、この第２のポケットの下部に設けられ、カード類を保持させるためのスリットである。符号６６は、前記スリット６５の下方に、例えばトムソン型を用いて形成された型押し線である。そして、この第２のポケット６の開放端６ｃにおける下端近傍部には、切欠６ｘが設けられている。
【００２７】
ここで、図面の表示内容を整理すれば、次のとおりである。すなわち、図１は、本実施形態に係るファイルＦＬを開いた状態の全体斜視図であり、図２は、同正面図である。これらの図においては、前記中間の台紙２を裏表紙３側に開いた状態を示している。図３は、図２におけるＡ−Ａ線に沿った端面図であり、図４は、図２におけるＢ−Ｂ線に沿った端面図であり、図５は、図２におけるＣ−Ｃ線に沿った端面図である。図６は、図３におけるＤ部の拡大図であり、図７は、図３におけるＥ部の拡大図であり、図８は、図３におけるＦ部の拡大図であり、図９は、図４におけるＧ部の拡大図であり、図１０は、図４におけるＨ部の拡大図である。図１１は、図２におけるＩ−Ｉ線に沿った端面図である。図１２は、図５におけるＪ部の拡大図であり、図１３は、図５におけるＫ部の拡大図である。なお、この実施形態における表表紙１及び裏表紙３の厚さ寸法は例えば０．７５ｍｍであり、第１及び第２のポケット４〜６を形成するシートの厚さ寸法は例えば０．３ｍｍであるが、前記図３〜図１３においては、視覚的にわかりやすくするため、厚さ及びシート間の隙間の大きさを誇張して示してある。図１４は、本実施形態に係る前記中間の台紙２を裏表紙３に溶着する前の状態を示す分解斜視図である。図１５は、完成したファイルＦＬにノートＮ及びプリントＰをそれぞれ保持させる前の状態を示す斜視図である。前記ノートＮは、表表紙Ｎ１と裏表紙Ｎ３との間に複数枚の中紙Ｎ２を介在させた通常のものである。図１６は、前記第１のポケット４にノートＮの表表紙Ｎ１を挿入する直前の状態を示すためのもので、前記第１のポケット４の差込前半部４ｂ１の入り口部分を拡大して示す拡大斜視図である。図１７は、差込前半部４ｂ１にノートＮの表表紙Ｎ１が挿入された状態を示す拡大端面図であり、図１０に対応している、図１８は、差込後半部４ｂ２にノートＮの表表紙Ｎ１が挿入された状態を示す拡大端面図であり、図１１に対応している。図１９は、このファイルＦＬを閉じた状態を示す正面図であり、表表紙１の端縁１ｃと中間の台紙２の先端２ｄとの間に中間の台紙２の第２のポケット５の一部が視認可能となっている。
【００２８】
このような構成のファイルＦＬであれば、例えば図１５に示すように表表紙１の第１のポケット４にノートＮの表紙Ｎ１を差し込んで当該ノートＮを表表紙１の内面側に保持させるとともに、中間の台紙２や裏表紙３に設けられた第２のポケット５、６にプリントＰを挿入して保持させることができる。
【００２９】
このファイルＦＬの第１のポケット４は、その下端４ｂに前述した差込前半部４ｂ１と差込後半部４ｂ２とを備えているため、ノートＮの表紙Ｎ１を挿入しやすく、また、挿入した後はそのノートＮが前記第１のポケット４から外れにくいという効果を奏する。すなわち、前記差込前半部４ｂ１は、前記第１のポケット４の下端部４ｂの一部を表表紙１側に折返した状態でその折返し部分４０のみを前記表表紙１に溶着させたものであるので、前記第１のポケット４の下端４ｂ近傍、より厳密には前記折り返し部分４０と該折り返し部分４０に対向する部位との間に形成される隙間Ｓ１が袋状となり、図１７に示すように、この袋状となった部分にノートＮの表紙Ｎ１が挿入されることになる。そのため、ノートＮの表紙Ｎ１が前記隙間Ｓ１に食い込むような作用を伴うことなく円滑に内部に案内されることになる。一方、前記差込後半部４ｂ２は、前記第１のポケット４の下端４ｂ近傍を表表紙１に重ね合わせた状態で溶着させたものであるため、図１８に示すように、第１のポケット４と表表紙１との間に下方に向かって漸次幅狭となる断面クサビ状の隙間Ｓ２が形成される。そのため、同図に示すように、ノートＮの表紙Ｎ１はそのクサビ状の隙間Ｓ２を無理に押し広げるように進入することになり、一旦挿入されると抜き取りにくい状態となる。よって、前記ノートＮを表表紙１の内面側に安定した状態で保持させておくことができる。特にこの実施形態では、図１６に示すように、前記折り返し部分４０の端部４０ａが第１のポケット４の開放端４ｃよりも外方側すなわち背表紙１０側に突出しているので、前記第１のポケット４と前記表表紙１との間の隙間ＳにノートＮを挿入する動作を行うにあたって、挿入しようとするノートＮの表紙Ｎ１が前記折り返し部分４０の端面に当接して円滑な挿入動作が阻害されるという不具合が生じることを防止することができる。すなわち、前記折り返し部分４０の端部４０ａが外部に露出しているため、まず挿入しようとしているノートＮの表紙Ｎ１を折り返し部分４０の露出した端部４０ａに当接させつつすべらせて第１のポケット４内に挿入させることができるので、挿入動作をとりわけ円滑に行うことが可能となる。さらに、この種のファイルＦＬでは使用中の落下や整理のためのそろえ作業などによりファイルＦＬの下端を床面や天板面に衝突させる可能性が少なくないが、本実施形態では前記差込前半部４ｂ１及び前記差込後半部４ｂ２を前記第１のポケット４の下端４ｂに設けているので、ファイルＦＬの下端４ｂが床面や天板面に衝突した際にノートＮの表紙Ｎ１がクサビ状の空間に食い込んでノートＮが外れにくくなることを抑制することができる。加えて、前記開放端４ｃにおける両切欠４ｘ間の部位を、該開放端４ｃにおける上側の切欠４ｘより上方の部位よりも外方側すなわち背表紙１０側に突出させていることにより、落下時にこの切欠４ｘ近傍の部位が破れにくく、また、上端側の領域でもノートＮの表紙Ｎ１を挿入しやすい。
【００３０】
また、前記第１のポケット４の反開放端４ｄ側を前記表表紙１の端縁１ｃに合致させてあるので、この第１のポケット４に表紙Ｎを挿入させたノートＮ１の中紙Ｎ２の先端も前記表表紙１の端縁１ｃに合致又は近接する位置に配されることとなり、このようなノートＮをめくる操作をファイルＦＬの表紙１に邪魔されることなく円滑に行うことが可能となる。
【００３１】
なお、本発明は以上に述べた実施形態に限られない。
【００３２】
例えば、上述した実施形態では、ポケットの下端部のみに差込前半部及び差込後半部を設けているが、ポケットの上端部のみに差込前半部及び差込後半部を設けたものや、ポケットの上端部及び下端部の双方に差込前半部及び差込後半部を設けたものであってもよい。
【００３３】
また、上述した実施形態では、第１のポケットを形成すべきシートの上端をファイルの表表紙の上端から離間した位置に溶着しているが、第１のポケットを形成すべきシートの寸法をファイルの表表紙の寸法に一致させた上で、このシートの下端部、上端部及び中間部をそれぞれ表表紙に止着し、例えば下端部と中間部との間に第１のポケット、中間部と上端部との間に副ポケットをそれぞれ形成するようにしてもよい。
【００３４】
さらに、上述した実施形態では、台紙として表表紙、裏表紙及び中間の台紙を備えたファイルに本発明を適用しているが、台紙として表表紙及び裏表紙のみを備えた、換言すれば中間の台紙を省略したファイルに本発明を適用してもよい。さらに、１枚の台紙のみを有し、その台紙の少なくとも一方の表面に、上端及び下端の少なくとも一方に差込前半部及び差込後半部を有するポケットを設ける態様のものも考えられる。その一例として、図２０に概略的に示すファイルＦＬ２が挙げられる。このファイルＦＬ２は、同一のシートを二つ折りにして構成されたもので、シートの一方を台紙１とし、他方をポケット４としている。この場合、ポケット４の上端４ａは、台紙１に対面する裏面側を前記台紙１の上端１ａに溶着している。一方、ポケット４の下端４ｂは、表面側を折り返し、折り返し部分４０を前記台紙１に止着してなる差込前半部４ｂ１と、前記台紙１に対面する裏面側を前記台紙１の下端１ｂに止着してなる差込後半部４ｂ２とを備えている。また、このファイルＦＬ２のポケット４も、一側に差込用の開放端４ｃを有している。そして、前記折り返し部分４０の端部４０ａは、前記差込用の開放端４ｃよりも外方側に突出し、外部に露出している。このような態様のものであっても、本発明の最も主要な効果、すなわち台紙１とポケット４との間の隙間に収納物を円滑に収納できるという効果が得られる。
【００３５】
加えて、上述した実施形態では、ポケットの反開放端側を台紙の端縁に合致又は近接させてあるが、ポケットの反開放端を台紙の端縁から離間させ、ポケットの反開放端と台紙の端縁との間の空間に筆記用具ホルダやカードホルダ等を設けるようにしてもよい。
【００３６】
そして、上述した実施形態では、表表紙の寸法とその他の台紙の寸法とを異ならせているが、複数枚の台紙の寸法を全て一致させてもよく、また、表表紙、裏表紙及び中間の台紙を有するファイルにおいて中間の台紙を表表紙及び裏表紙よりも大きなものにする態様を採用してもよい。
【００３７】
その他、本発明の趣旨を損ねない範囲で種々に変形してよい。
【符号の説明】
【００３８】
ＦＬ…ファイル
１…台紙（表表紙）
１ｃ…台紙の端縁（表表紙の端縁）
１ｓ…表紙の内面（表表紙の内面）
２…台紙（中間の台紙）
３…台紙（裏表紙）
４…ポケット（第１のポケット）
４ａ…ポケットの上端
４ｂ…ポケットの下端
４ｂ１…差込前半部
４ｂ３…差込後半部
４ｃ…差込用の開放端
４ｄ…ポケットの反開放端
【図１】
2018176471.tif 000003
【図２】
2018176471.tif 000004
【図３】
2018176471.tif 000005
【図４】
2018176471.tif 000006
【図５】
2018176471.tif 000007
【図６】
2018176471.tif 000008
【図７】
2018176471.tif 000009
【図８】
2018176471.tif 000010
【図９】
2018176471.tif 000011
【図１０】
2018176471.tif 000012
【図１１】
2018176471.tif 000013
【図１２】
2018176471.tif 000014
【図１３】
2018176471.tif 000015
【図１４】
2018176471.tif 000016
【図１５】
2018176471.tif 000017
【図１６】
2018176471.tif 000018
【図１７】
2018176471.tif 000019
【図１８】
2018176471.tif 000020
【図１９】
2018176471.tif 000021
【図２０】
2018176471.tif 000022